(57)【特許請求の範囲】
【請求項１】
発信固定端末と、着信固定端末と、端末間の通信手段間に呼を設定する交換網からなり、該発信固定端末の位置を示す位置情報を提供する位置情報サービスシステムであって、
発信固定端末は、
自端末に接続される装置から取得した暗号化位置情報、または、自装置で暗号化した暗号化位置情報を交換網に送信する暗号化手段を有し、
交換網は、
発信固定端末から受信した暗号化位置情報を復号化する復号化手段と、
復号化された位置情報を発信固定端末または、着信固定端末に提供する位置情報提供手段と、
位置情報の提供に対する課金を発信固定端末に対して行う課金手段とを有することを特徴とする位置情報サービスシステム。
【請求項２】
発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を着信固定端末に送信すると共に、発信固定端末に対して課金する位置情報提供手段を有する交換機とを有し、
着信固定端末は、
交換網から位置情報を受信する位置情報受信手段と、
位置情報受信手段で取得した位置情報を表示する表示手段とを有することを特徴とする位置情報サービスシステム。
【請求項３】
発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末を有し、
発信固定端末は、
位置情報設定端末と接続されると、暗号化位置情報を自端末内に保持する設定手段と、
暗号化位置情報を発呼時に交換網に送信する通信手段とを有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を着信固定端末に送信すると共に、該発信固定端末に対して課金する位置情報提供手段を有する交換機とを有し、
着信固定端末は、
交換網から位置情報を受信する位置情報受信手段と、
位置情報受信手段で取得した位置情報を表示する表示手段とを有することを特徴とする位置情報サービスシステム。
【請求項４】
発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を用いて復号化するための復号化手段と、
発信固定端末から暗号化位置情報を受信し、復号化手段で復号化された位置情報を着信固定端末に送信すると共に、該発信固定端末に対して課金する位置情報提供手段を有する交換機を有し、
着信固定端末は、
交換網から位置情報を受信する位置情報受信手段と、
位置情報受信手段で取得した位置情報を表示する表示手段とを有することを特徴とする位置情報サービスシステム。
【請求項５】
発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末と、
発信固定端末は、
位置情報設定端末と接続されると、暗号化位置情報を自端末内に保持する設定手段と、
暗号化位置情報を発呼時に交換網に送信する通信手段と、
交換網から返却される位置情報を利用する位置情報利用手段とを有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を発信固定端末に送信すると共に、該発信固定端末に対して課金する位置情報提供手段を有する交換機とを有することを特徴とする位置情報サービスシステム。
【請求項６】
発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段と、
交換網から返却される位置情報を利用する位置情報利用手段とを有し、
交換網は、
発信固定端末から取得した暗号化位置情報を鍵を用いて復号化するための復号化手段と、
発信固定端末から暗号化位置情報を受信し、復号化手段で復号化された位置情報を着信固定端末に送信する共に、該発信固定端末に対して課金する位置情報提供手段を有する交換機を有することを特徴とする位置情報サービスシステム。
【請求項７】
発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末を有し、
発信固定端末は、
位置情報設定端末と接続されると、暗号化位置情報を自端末内に保持する設定手段と、
暗号化位置情報を発呼時に交換網に送信する通信手段とを有し、
交換網は、
発信固定端末から取得した暗号化位置情報を鍵を用いて復号化するための復号化手段と、
発信固定端末から暗号化位置情報を受信し、復号化手段で復号化された位置情報を着信固定端末に送信すると共に、該発信固定端末に対して課金する位置情報提供手段を有する交換機を有し、
着信固定端末は、
交換機から位置情報を受信する位置情報受信手段と、
位置情報受信手段で取得した位置情報を表示する表示手段とを有することを特徴とする位置情報サービスシステム。
【請求項８】
発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を該発信固定端末に送信すると共に、該発信固定端末に対して課金する位置情報提供手段を有する交換機とを有することを特徴とする位置情報サービスシステム。
【請求項９】
発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段と、
発信固定端末から暗号化位置情報を受信し、復号化手段で復号化された位置情報を該発信固定端末に送信すると共に、該発信固定端末に対して課金する位置情報提供手段を有する交換機を有することを特徴とする位置情報サービスシステム。
【請求項１０】
発信固定端末と、着信固定端末と、端末間の通信手段間に呼を設定する交換網からなるシステムにおける、該発信固定端末の位置を示す位置情報を提供する位置情報サービス方法において、
発信固定端末では、
自端末に接続される装置から取得した暗号化位置情報、または、自端末において暗号化して暗号化位置情報を交換網に送信し、
交換網では、
発信固定端末から取得した暗号化位置情報を復号化して得られた位置情報を該発信固定端末または、着信固定端末に提供し、
位置情報の提供に対する課金を発信固定端末に対して行うことを特徴とする位置情報サービス方法。
【請求項１１】
発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
交換機において、該交換機とは独立して設けられる復号化センタに対して、共通線信号網を介して、発信固定端末から受信した暗号化位置情報を送信して復号化を依頼し、
復号化センタでは、
暗号化位置情報を鍵を用いて復号化して交換機に送信し、
交換網では、
復号化センタから取得した復号化された位置情報を着信固定端末に送信すると共に、発信固定端末に対して課金し、
着信固定端末では、
交換網から位置情報を受信して、表示することを特徴とする位置情報サービス方法。
【請求項１２】
発信固定端末と、着信固定端末と、端末間の通信手段間に呼を設定する交換網からなるシステムにおける、該発信固定端末の位置を示す位置情報を提供する位置情報サービス方法において、
発信固定端末と接続される、位置情報設定端末において、
位置情報をカスタマイズするための情報を入力し、
カスタマイズされた位置情報を暗号化して暗号化位置情報を生成し、
接続されている発信固定端末に暗号化位置情報を送信し、
発信固定端末では、
位置情報設定端末から受信した暗号化位置情報を自端末内に設定し、
暗号化位置情報を発呼時に交換網に送信し、
交換網では、
発信固定端末を収容する交換機において、該発信固定端末から取得した暗号化位置情報を、該交換機とは独立に網内に設けられる復号化センタに共通線信号網を介して送信し、復号化要求を行い、
復号化センタでは、
暗号化位置情報を鍵を用いて復号化して、交換機に送信し、
交換機では、
復号化センタから取得した復号化された位置情報を着信固定端末に送信すると共に、発信固定端末に対して課金し、
着信固定端末では、
交換網から位置情報を取得して、表示することを特徴とする位置情報サービス方法。
【請求項１３】
発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
発信固定端末から取得した暗号化位置情報を鍵を用いて復号化し、
復号化された位置情報を着信固定端末に送信すると共に、該発信固定端末に対して課金し、
着信固定端末では、
交換網から位置情報を受信し、表示することを特徴とする位置情報サービス方法。
【請求項１４】
発信固定端末と、着信固定端末と、端末間の通信手段間に呼を設定する交換網からなるシステムにおける、該発信固定端末の位置を示す位置情報を提供する位置情報サービス方法において、
発信固定端末と接続される、位置情報設定端末において、
位置情報をカスタマイズするための情報を入力し、
カスタマイズされた位置情報を暗号化して暗号化位置情報を生成し、
接続されている発信固定端末に暗号化位置情報を送信し、
発信固定端末では、
位置情報設定端末と接続されると、暗号化位置情報を自端末内に設定し、
暗号化位置情報を発呼時に交換網に送信し、
交換網では、
発信固定端末を収容する交換機において、該発信固定端末から取得した暗号化位置情報を、同一網内に独立して設けられる復号化センタに共通線信号網を介して送信し、復号化を要求し、
復号化センタにおいて、
暗号化位置情報を復号化し、交換機に復号化された位置情報を送信し、
交換機では、
復号化センタから取得した復号化された位置情報を発信固定端末に送信すると共に、該発信固定端末に対して課金し、
発信固定端末では、
交換機から返却された位置情報を利用することを特徴とする位置情報サービス方法。
【請求項１５】
発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
発信固定端末から取得した暗号化位置情報を鍵を用いて復号化し、
復号化された位置情報を該発信固定端末に送信すると共に、該発信固定端末に対して課金し、
発信固定端末では、
交換網から返却される位置情報を利用することを特徴とする位置情報サービス方法。
【請求項１６】
発信固定端末と、着信固定端末と、端末間の通信手段間に呼を設定する交換網からなるシステムにおける、該発信固定端末の位置を示す位置情報を提供する位置情報サービス方法において、
発信固定端末と接続される位置情報設定端末は、
位置情報のカスタマイズを可能とし、該位置情報を暗号化して暗号化位置情報を生成し、発信固定端末に送信し、
発信固定端末は、
位置情報設定端末と接続されると、暗号化位置情報を自端末内に保持すると共に、該暗号化位置情報を発呼時に交換網に送信し、
交換網は、
発信固定端末から取得した暗号化位置情報を鍵を用いて復号化し、復号化された位置情報を着信固定端末に送信すると共に、該発信固定端末に対して課金し、
着信固定端末は、
交換網から位置情報を受信して表示することを特徴とする位置情報サービス方法。
【請求項１７】
発信固定端末と、着信固定端末と、端末間の通信手段間に呼を設定する交換網からなるシステムにおける、該発信固定端末の位置を示す位置情報を提供する位置情報サービス方法において、
発信固定端末は、
位置情報を鍵を用いて暗号化し、暗号化位置情報を生成し交換網に送信し、
交換網は、
復号化センタにおいて、発信固定端末から取得した暗号化位置情報を鍵を用いて復号化して交換機に渡し、
交換機では、復号化センタから取得した復号化された位置情報を発信固定端末に送信すると共に、該発信固定端末に対して課金することを特徴とする位置情報サービス方法。
【請求項１８】
発信固定端末と、着信固定端末と、端末間の通信手段間に呼を設定する交換網からなるシステムにおける、該発信固定端末の位置を示す位置情報を提供する位置情報サービス方法において、
発信固定端末は、
位置情報を鍵を用いて暗号化し、暗号化位置情報を生成し交換網に送信し、
交換網は、
交換機において、発信固定端末から取得した暗号化位置情報を鍵を用いて復号化した位置情報を該発信固定端末に送信すると共に、該発信固定端末に対して課金することを特徴とする位置情報サービス方法。
【請求項１９】
発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
位置情報を鍵を用いて暗号化し、暗号化位置情報を生成するステップと、
暗号化位置情報を交換網に送信するステップと、を前記発信固定端末に実行させるプログラムを格納したことを特徴とする位置情報サービスプログラムを格納した記憶媒体。
【請求項２０】
発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
自端末と接続される位置情報設定端末から、カスタマイズされた位置情報が暗号化された暗号化位置情報を取得するステップと、
暗号化位置情報を発呼時に交換網に送信するステップと、を前記発信固定端末に実行させるプログラムを格納したことを特徴とする位置情報サービスプログラムを格納した記憶媒体。
【請求項２１】
発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
位置情報を鍵を用いて暗号化し、暗号化位置情報を生成するステップと、
暗号化位置情報を交換網に送信するステップと、
交換網から復号化された位置情報を取得して利用するステップと、を前記発信固定端末に実行させるプログラムを格納したことを特徴とする位置情報サービスプログラムを格納した記憶媒体。
【請求項２２】
発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
自端末と接続される位置情報設定端末から、カスタマイズされた位置情報が暗号化された暗号化位置情報を取得するステップと、
暗号化位置情報を発呼時に交換網に送信するステップと、
交換網から復号化された位置情報を取得して利用するステップと、を前記発信固定端末に実行させるプログラムを格納したことを特徴とする位置情報サービスプログラムを格納した記憶媒体。
【請求項２３】
発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するための交換機とは独立して設けられる復号化センタに共通線信号網を介して復号化を依頼するステップと、
復号化センタから取得した復号化された位置情報を着信固定端末に送信するステップと、
発信固定端末に対して課金するステップと、を前記交換機に実行させるプログラムを格納したことを特徴とする位置情報サービスプログラムを格納した記憶媒体。
【請求項２４】
発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するために交換機とは独立して設けられる復号化センタに共通線信号網を介して復号化を依頼するステップと、
復号化センタから取得した復号化された位置情報を発信固定端末に送信するステップと、
発信固定端末に対して課金するステップと、を前記交換機に実行させるプログラムを格納したことを特徴とする位置情報サービスプログラムを格納した記憶媒体。
【請求項２５】
発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するステップと、
復号化された位置情報を着信固定端末に送信するステップと、
発信固定端末に対して課金するステップと、を前記交換機に実行させるプログラムを格納したことを特徴とする位置情報サービスプログラムを格納した記憶媒体。
【請求項２６】
発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するステップと、
復号化された位置情報を発信固定端末に送信するステップと、
発信固定端末に対して課金するステップと、を前記交換機に実行させるプログラムを格納したことを特徴とする位置情報サービスプログラムを格納した記憶媒体。
【発明の詳細な説明】
【０００１】
【発明の属する技術分野】
本発明は、位置情報サービスシステム及び方法及び位置情報サービスプログラムを格納した記憶媒体に係り、特に、一時的に設置される発信端末で保持している位置情報をローカルに変更可能とし、着信端末に位置情報を送信する、または、発信者の居場所（位置情報）を確認するための位置情報サービスシステム及び方法及び位置情報サービスプログラムを格納した記憶媒体に関する。
【０００２】
【従来の技術】
従来の発信端末の位置情報を提供するシステムにおいては、着信端末で発信者番号通知機能により得た発信端末の電話番号から位置情報を検索するか、発信端末からの発呼を一度受けてから着信端末に中継を行う中継サーバ内で、発信端末の電話番号等から位置情報を検索して着信端末に位置情報を提供する。
【０００３】
また、従来、発信者の住所などの位置情報を着信者に提供するサービスとして、警察・消防回線のような特別な電話番号の着信者に対する発信地紹介サービスが提案されている（特開平０８−２０４８３５）。このサービスでは、着信者の発信端末の電話番号または、端末ＩＤを利用してセンタで位置情報を獲得し、着信者に位置情報を提供する。
【０００４】
また、特開平０８−２０４８４１には、発信者が公衆電話機を用いて自分の現在位置を相手に知らせると共に、発信者自身も現在位置情報を得ることができる公衆電話位置情報システムが開示されている。このシステムでは、発信者が公衆電話機の電話番号や識別コードを基地局（センタ）へ送信し、基地局はこの発信者から送信された情報に基づいて位置情報を検索し、検索結果を受信局に送信する。位置情報の具体例には、所在地名、地図表示が含まれる。
【０００５】
また、近年開始された発信者番号通知サービスを利用することにより、交換網の外部でも発信者の電話番号を知ることが可能になるので、電話番号とその電話番号に関連した位置情報とを対応付けしたデータベースなどを構築して、発信者の位置情報を提供できるようになる。
【０００６】
一方、位置情報サービスの円滑な運用のためには、利用者が望む適切な情報を提供できるだけではなく、一般に、サービス用の適切な課金が必要であると考えられる。さらに、サービス料の適切な課金を行うため、サービスに関連した情報の秘匿性の向上や情報の改ざんの防止などの情報セキュリティ技術が重要になる。
【０００７】
従来技術における位置情報サービスへの課金方式として、例えば、特願平１０−３２６０７５に記載された発明によれば、ＩＣカード対応のディジタル公衆電話機を利用してその公衆電話機周辺の店舗等の行き先案内サービスを提供する方法において、公衆電話機からサービスセンタにダイヤルした際の通話料がＩＣカードや現金から精算される。
【０００８】
【発明が解決しようとする課題】
しかしながら、発信端末では発信者が存在している場所を知りたい場合でも住所や建物等を認識して問い合わせ先に説明する必要があり、迷子や土地勘がない者にとって説明が困難であり自分の居場所確認のためには、最低限の情報が必要とされるという問題がある。
【０００９】
また、発信者には、位置情報の設定変更の手段がなく、一時的に移動して利用する携帯端末においてカスタマイズができないという問題がある。
【００１０】
本発明は、上記の点に鑑みなされたもので、発信者側や着信者に対して発信側の電話番号を秘匿すると共に、位置情報データの管理者が位置情報の利用者に対して課金を行うことが可能な位置情報サービスシステム及び方法及び位置情報サービスプログラムを格納した記憶媒体を提供することである。
【００１１】
また、本発明の目的は、一時的な発信端末の移動を可能とし、端末に位置情報設定機能を持たせ、ある限定されたエリア内（例えば、アミューズメントパーク等）において、利用者の位置情報を設定可能とし、利用者の居場所を例えば、エリア内の迷子センタまたは、他の場所にいる同伴者等に通知することが可能な位置情報サービスシステム及び方法及び位置情報サービスプログラムを格納した記憶媒体を提供することである。
【００１２】
また、本発明の目的は、利用者自身の居場所を容易に認識することが可能な位置情報サービスシステム及び方法及び位置情報サービスプログラムを格納した記憶媒体を提供することである。
【００１３】
【課題を解決するための手段】
図１は、本発明の第１の原理構成図である。
【００１４】
本発明は、発信固定端末１００と、着信固定端末３００と、端末間の通信手段間に呼を設定する交換網２００からなり、該発信固定端末の位置を示す位置情報を提供する位置情報サービスシステムであって、
発信固定端末１００は、
自端末に接続される装置から取得した暗号化位置情報、または、自装置で暗号化した暗号化位置情報を交換網に送信する暗号化手段１２０を有し、
交換網２００は、
発信固定端末１００から受信した暗号化位置情報を復号化する復号化手段２２１と、
復号化された位置情報を発信固定端末または、着信固定端末に提供する位置情報提供手段２１２と、
位置情報の提供に対する課金を発信固定端末１００に対して行う課金手段２０１とを有する。
【００１５】
本発明は、発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を着信固定端末に送信すると共に、発信固定端末に対して課金する位置情報提供手段を有する交換機とを有し、
着信固定端末は、
交換網から位置情報を受信する位置情報受信手段と、
位置情報受信手段で取得した位置情報を表示する表示手段とを有する。
【００１６】
本発明は、発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末を有し、
発信固定端末は、
位置情報設定端末と接続されると、暗号化位置情報を自端末内に保持する設定手段と、
暗号化位置情報を発呼時に交換網に送信する通信手段とを有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を着信固定端末に送信すると共に、該発信固定端末に対して課金する位置情報提供手段を有する交換機とを有し、
着信固定端末は、
交換網から位置情報を受信する位置情報受信手段と、
位置情報受信手段で取得した位置情報を表示する表示手段とを有する。
【００１７】
本発明は、発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を用いて復号化するための復号化手段と、
発信固定端末から暗号化位置情報を受信し、復号化手段で復号化された位置情報を着信固定端末に送信すると共に、該発信固定端末に対して課金する位置情報提供手段を有する交換機を有し、
着信固定端末は、
交換網から位置情報を受信する位置情報受信手段と、
位置情報受信手段で取得した位置情報を表示する表示手段とを有する。
【００１８】
本発明は、発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末と、
発信固定端末は、
位置情報設定端末と接続されると、暗号化位置情報を自端末内に保持する設定手段と、
暗号化位置情報を発呼時に交換網に送信する通信手段と、
交換網から返却される位置情報を利用する位置情報利用手段とを有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を発信固定端末に送信すると共に、該発信固定端末に対して課金する位置情報提供手段を有する交換機とを有する。
【００１９】
本発明は、発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段と、
交換網から返却される位置情報を利用する位置情報利用手段とを有し、
交換網は、
発信固定端末から取得した暗号化位置情報を鍵を用いて復号化するための復号化手段と、
発信固定端末から暗号化位置情報を受信し、復号化手段で復号化された位置情報を着信固定端末に送信する共に、該発信固定端末に対して課金する位置情報提供手段を有する交換機を有する。
【００２０】
本発明は、発信固定端末と、着信固定端末と、端末間の通信手段間に呼を設定する交換網からなり、該発信固定端末の位置を示す位置情報を提供する位置情報サービスシステムであって、
位置情報のカスタマイズを可能とする位置情報入力手段と、
位置情報を暗号化して暗号化位置情報を生成する暗号化手段と、
発信固定端末と接続することで、暗号化された暗号化位置情報を該発信固定端末に送信する接続手段とを有する位置情報設定端末を有し、
発信固定端末は、
位置情報設定端末と接続されると、暗号化位置情報を自端末内に保持する設定手段と、
暗号化位置情報を発呼時に交換網に送信する通信手段とを有し、
交換網は、
発信固定端末から取得した暗号化位置情報を鍵を用いて復号化するための復号化手段と、
発信固定端末から暗号化位置情報を受信し、復号化手段で復号化された位置情報を着信固定端末に送信すると共に、該発信固定端末に対して課金する位置情報提供手段を有する交換機を有し、
着信固定端末は、
交換機から位置情報を受信する位置情報受信手段と、
位置情報受信手段で取得した位置情報を表示する表示手段とを有する。
【００２１】
本発明は、発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段を有する復号化センタと、
発信固定端末から暗号化位置情報を受信し、復号化センタに共通線信号網を介して復号化を依頼し、該復号化センタから取得した復号化された位置情報を該発信固定端末に送信すると共に、該発信固定端末に対して課金する位置情報提供手段を有する交換機とを有する。
【００２２】
本発明は、発信固定端末と、着信固定端末と、端末間の通信手段間に呼を設定する交換網からなり、該発信固定端末の位置を示す位置情報を提供する位置情報サービスシステムであって、
発信固定端末は、
位置情報を鍵を用いて暗号化し、暗号化位置情報を生成し交換網に送信する暗号化手段を有し、
交換網は、
発信固定端末から取得した暗号化位置情報を鍵を用いて復号化するための復号化手段と、
発信固定端末から暗号化位置情報を受信し、復号化手段で復号化された位置情報を該発信固定端末に送信すると共に、該発信固定端末に対して課金する位置情報提供手段を有する交換機を有する。
【００２３】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末では、
自端末に接続される装置から取得した暗号化位置情報、または、自端末において暗号化して暗号化位置情報を交換網に送信し、
交換網では、
発信固定端末から取得した暗号化位置情報を復号化して得られた位置情報を該発信固定端末または、着信固定端末に提供し、
位置情報の提供に対する課金を発信固定端末に対して行う。
【００２４】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
交換機において、該交換機とは独立して設けられる復号化センタに対して、共通線信号網を介して、発信固定端末から受信した暗号化位置情報を送信して復号化を依頼し、
復号化センタでは、
暗号化位置情報を鍵を用いて復号化して交換機に送信し、
交換網では、
復号化センタから取得した復号化された位置情報を着信固定端末に送信すると共に、発信固定端末に対して課金し、
着信固定端末では、
交換網から位置情報を受信して、表示する。
【００２５】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末と接続される、位置情報設定端末において、
位置情報をカスタマイズするための情報を入力し、
カスタマイズされた位置情報を暗号化して暗号化位置情報を生成し、
接続されている発信固定端末に暗号化位置情報を送信し、
発信固定端末では、
位置情報設定端末から受信した暗号化位置情報を自端末内に設定し、
暗号化位置情報を発呼時に交換網に送信し、
交換網では、
発信固定端末を収容する交換機において、該発信固定端末から取得した暗号化位置情報を、該交換機とは独立に網内に設けられる復号化センタに共通線信号網を介して送信し、復号化要求を行い、
復号化センタでは、
暗号化位置情報を鍵を用いて復号化して、交換機に送信し、
交換機では、
復号化センタから取得した復号化された位置情報を着信固定端末に送信すると共に、発信固定端末に対して課金し、
着信固定端末では、
交換網から位置情報を取得して、表示する。
【００２６】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
発信固定端末から取得した暗号化位置情報を鍵を用いて復号化し、
復号化された位置情報を着信固定端末に送信すると共に、該発信固定端末に対して課金し、
着信固定端末では、
交換網から位置情報を受信し、表示する。
【００２７】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末と接続される、位置情報設定端末において、
位置情報をカスタマイズするための情報を入力し、
カスタマイズされた位置情報を暗号化して暗号化位置情報を生成し、
接続されている発信固定端末に暗号化位置情報を送信し、
発信固定端末では、
位置情報設定端末と接続されると、暗号化位置情報を自端末内に設定し、
暗号化位置情報を発呼時に交換網に送信し、
交換網では、
発信固定端末を収容する交換機において、該発信固定端末から取得した暗号化位置情報を、同一網内に独立して設けられる復号化センタに共通線信号網を介して送信し、復号化を要求し、
復号化センタにおいて、
暗号化位置情報を復号化し、交換機に復号化された位置情報を送信し、
交換機では、
復号化センタから取得した復号化された位置情報を発信固定端末に送信すると共に、該発信固定端末に対して課金し、
発信固定端末では、
交換機から返却された位置情報を利用する。
【００２８】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末では、
位置情報を鍵を用いて暗号化し、暗号化位置情報を生成し交換網に送信し、
交換網では、
発信固定端末から取得した暗号化位置情報を鍵を用いて復号化し、
復号化された位置情報を該発信固定端末に送信すると共に、該発信固定端末に対して課金し、
発信固定端末では、
交換網から返却される位置情報を利用する。
【００２９】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末と接続される位置情報設定端末は、
位置情報のカスタマイズを可能とし、該位置情報を暗号化して暗号化位置情報を生成し、発信固定端末に送信し、
発信固定端末は、
位置情報設定端末と接続されると、暗号化位置情報を自端末内に保持すると共に、該暗号化位置情報を発呼時に交換網に送信し、
交換網は、
発信固定端末から取得した暗号化位置情報を鍵を用いて復号化し、復号化された位置情報を着信固定端末に送信すると共に、該発信固定端末に対して課金し、
着信固定端末は、
交換網から位置情報を受信して表示する。
【００３０】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末は、
位置情報を鍵を用いて暗号化し、暗号化位置情報を生成し交換網に送信し、
交換網は、
復号化センタにおいて、発信固定端末から取得した暗号化位置情報を鍵を用いて復号化して交換機に渡し、
交換機では、復号化センタから取得した復号化された位置情報を発信固定端末に送信すると共に、該発信固定端末に対して課金する。
【００３１】
本発明は、発信固定端末と、着信固定端末と、端末間の通信手段間に呼を設定する交換網からなるシステムにおける、該発信固定端末の位置を示す位置情報を提供する位置情報サービス方法において、
発信固定端末は、
位置情報を鍵を用いて暗号化し、暗号化位置情報を生成し交換網に送信し、
交換網は、
交換機において、発信固定端末から取得した暗号化位置情報を鍵を用いて復号化した位置情報を該発信固定端末に送信すると共に、該発信固定端末に対して課金する。
【００３２】
本発明は、発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
位置情報を鍵を用いて暗号化し、暗号化位置情報を生成するステップと、
暗号化位置情報を交換網に送信するステップと、を発信固定端末に実行させるプログラムを格納する。
【００３３】
本発明は、発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
自端末と接続される位置情報設定端末から、カスタマイズされた位置情報が暗号化された暗号化位置情報を取得するステップと、
暗号化位置情報を発呼時に交換網に送信するステップと、を発信固定端末に実行させるプログラムを格納する。
【００３４】
本発明は、発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
位置情報を鍵を用いて暗号化し、暗号化位置情報を生成するステップと、
暗号化位置情報を交換網に送信するステップと、
交換網から復号化された位置情報を取得して利用するステップと、を発信固定端末に実行させるプログラムを格納する。
【００３５】
本発明は、発信固定端末と、着信固定端末と、端末間の通信手段間に呼を設定する交換網からなり、該発信固定端末の位置情報を提供するシステムにおいて、該発信固定端末に実行させる位置情報サービスプログラムを格納した記憶媒体であって、
自端末と接続される位置情報設定端末から、カスタマイズされた位置情報が暗号化された暗号化位置情報を取得するステップと、
暗号化位置情報を発呼時に交換網に送信するステップと、
交換網から復号化された位置情報を取得して利用するステップと、を発信固定端末に実行させるプログラムを格納する。
【００３６】
本発明は、発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するための交換機とは独立して設けられる復号化センタに共通線信号網を介して復号化を依頼するステップと、
復号化センタから取得した復号化された位置情報を着信固定端末に送信するステップと、
発信固定端末に対して課金するステップと、を交換機に実行させるプログラムを格納する。
【００３７】
本発明は、発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するために交換機とは独立して設けられる復号化センタに共通線信号網を介して復号化を依頼するステップと、
復号化センタから取得した復号化された位置情報を発信固定端末に送信するステップと、
発信固定端末に対して課金するステップと、を交換機に実行させるプログラムを格納する。
【００３８】
本発明は、発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するステップと、
復号化された位置情報を着信固定端末に送信するステップと、
発信固定端末に対して課金するステップと、を交換機に実行させるプログラムを格納する。
【００３９】
本発明は、発信固定端末と、着信固定端末と、端末間の通信手段間に呼を設定する交換網からなり、該発信固定端末の位置情報を提供するシステムにおいて、該交換網の交換機に実行させる位置情報サービスプログラムを格納した記憶媒体であって、
発信固定端末から取得した暗号化位置情報を受信し、暗号化位置情報を鍵を用いて復号化するステップと、
復号化された位置情報を発信固定端末に送信するステップと、
発信固定端末に対して課金するステップと、を交換機に実行させるプログラムを格納する。
【００４１】
上記のように、本発明では、交換網、発信端末、復号化センタを同一事業者が持つ場合（但し、位置情報の設定・利用は他の事業者（他の網）に開放が可能）において、位置情報を発信端末のみで持ち、暗号化された位置情報を復号化センタに送信（または、交換機）することで、端末ローカルで位置情報の設定等が可能となると共に、網内において、通話料と情報料の課金が可能となる。
【００４２】
【発明の実施の形態】
本発明は、公衆電話機に蓄えられている位置情報を交換網に暗号化して送付し、当該交換網が復号化を行うことで、電話番号が非公開・非通知の公衆電話機からの通話において、発信固定端末（以下、単に、発信端末と記す）または、着信固定端末（以下、単に、着信端末と記す）に対して位置情報の提供を行い、発信端末または着信端末による位置情報を使用したサービス提供を可能にするものである。
【００４３】
また、本発明は、発信端末から電話交換網に対して暗号化された暗号化位置情報を送信し、交換網において復号化された位置情報を着信端末または、発信端末に送信する。このとき、交換網において網内課金を行い、発信端末に対して課金する。また、発信端末ローカルで位置情報の設定を可能とする。以下に、各実施パターンを示す。
【００４４】
（１）  発信端末、電話交換網、着信端末からなる構成において、電話交換網に、暗号化位置情報を復号化する復号化センタ（ＮＳＰ）を設置し、発信端末から暗号化位置情報を交換機を介して復号化センタに渡し、復号化センタで復号化された位置情報を着信端末を収容する交換機を介して着信端末に送信し、発信端末に対して課金（通話料＋情報料）する。
【００４５】
（２）  発信端末、発信端末と接続される位置情報設定端末、電話交換網、着信端末からなる構成において、電話交換網に、暗号化位置情報を復号化する復号化センタ（ＮＳＰ）を設置し、発信端末に接続される位置情報設定端末よりカスタマイズされた位置情報を暗号化し、発信端末に保持し、当該発信端末から暗号化位置情報を交換機を介して復号化センタに渡し、復号化センタで復号化された位置情報を着信端末を収容する交換機を介して着信端末に送信し、発信端末に対して課金（通話料＋情報料）する。
【００４６】
（３）  発信端末、電話交換網、着信端末からなる構成において、電話交換網の発信端末を収容する交換機に発信端末から暗号化位置情報を交換機を介して復号化センタに渡し、当該交換機で復号化された位置情報を着信端末を収容する交換機を介して着信端末に送信し、発信端末に対して課金（通話料＋情報料）する。
【００４７】
（４）  発信端末、発信端末と接続される位置情報設定端末、電話交換網、着信端末からなる構成において、電話交換網に、暗号化位置情報を復号化する復号化センタ（ＮＳＰ）を設置し、発信端末に接続される位置情報設定端末よりカスタマイズされた位置情報を暗号化し、発信端末に保持し、当該発信端末から暗号化位置情報を交換機を介して復号化センタに渡し、復号化センタで復号化された位置情報を発信端末に送信し、当該位置情報を発信端末において表示等に利用し、当該発信端末に対して課金（通話料＋情報料）される。
【００４８】
（５）  発信端末、電話交換網、着信端末からなる構成において、電話交換網の発信端末を収容する交換機に発信端末から暗号化位置情報を交換機を介して復号化センタに渡し、当該交換機で復号化された位置情報を発信端末に送信し、当該発信端末において位置情報を表示等に利用し、発信端末に対して課金（通話料＋情報料）される。
【００４９】
【実施例】
以下、図面と共に、本発明の実施例を説明する。
【００５０】
［第１の実施例］
図２は、本発明の第１の実施例のシステム構成を示す。同図に示すシステムは、発信端末１００、電話交換網２００、及び着信端末３００から構成される。
発信端末１００は、カードまたは、コイン等から課金を行う機能を有し、位置情報と暗号化のためのマスタ鍵を隠匿して保持し、発信時に位置情報を暗号化して送信する機能を有する電話機であり、通信部１１０と暗号化部１２０から構成される。
【００５１】
通信部１１０は、通常の電話機の機能に加え、発信時に暗号化部１２０で暗号化された暗号化位置情報を送信する機能を有する。
【００５２】
暗号化部１２０は、マスタ鍵を使い、位置情報を暗号化する。
【００５３】
電話交換網２００は、発信端末１００を収容する交換機Ａ２１０、復号化センタ（ＮＳＰ:Network Service Processor）２２０、及び着信端末３００を収容する交換機Ｂ２３０を有する。
【００５４】
交換機Ａ２１０は、発信端末１００を収容し、発信端末１００からの暗号化位置情報を受信し、共通信号網で接続されている復号化センタ２２０に暗号化を依頼し、復号化された位置情報を着信端末３００または、発信端末１００に送信すると共に、発信端末１００に対して位置情報送信に対する情報料課金を行う機能を有し、交換部２１１と位置情報提供部２１２から構成される。
【００５５】
交換部２１１は、通常の電話交換機能に加え、発信端末１００から受け取った暗号化位置情報を位置情報提供部２１２に渡すことで取得した位置情報を、交換網を介して着信端末３００または、発信端末１００に送信すると共に、発信端末１００に対して位置情報の提供に対する情報料課金を行う。
【００５６】
位置情報提供部２１２は、交換部２１１から暗号化位置情報を取得し、復号化センタ２２０に対して暗号化位置情報を送信することで、発信端末１００の位置情報を取得し、交換部２１１に当該位置情報を渡す。
【００５７】
交換機Ｂ２３０は、着信端末３００を収容する交換機で、制御信号・通話・位置情報等の中継を行う。
【００５８】
復号化センタ２２０は、電話交換網内にＮＳＰとして設置され、共通線信号網を介して交換機Ａ２１０からの位置情報復号化要求に従って、暗号化位置情報の復号化を行い、位置情報を交換機Ａ２１０に渡す機能を有し、復号化部２２１を有する。
【００５９】
復号化部２２１は、保存してあるマスタ鍵を使用して受け取った暗号化位置情報を復号化し、復号化された位置情報を返信する機能を有する。
【００６０】
着信端末３００は、通常の電話機機能に加え、交換機Ｂ２３０から送られてくる位置情報を受け取り、表示する機能を有し、通信部３１０、位置情報受信部３２０、及び表示部３３０から構成される。
【００６１】
通信部３１０は、通常の電話機の通信手段に加え、交換機Ｂ２３０から送られてくる位置情報を受信したときに、位置情報を位置情報受信部３２０に渡す。
【００６２】
位置情報受信部３２０は、通信部３１０から受け取った位置情報を位置情報フォーマットに従って解釈し、表示可能な形式に変換し表示部３３０に渡す。
【００６３】
表示部３３０は、位置情報受信部３２０から受け取った位置情報を表示するディスプレイ装置等である。
【００６４】
次に、上記の構成におけるシステムの一連の動作を説明する。
【００６５】
図３は、本発明の第１の実施例のシステムのシーケンスチャートである。
【００６６】
発信者が発信端末１００で発呼時に位置情報の送信を行うことを指定する操作を行う（ステップ５０１）。当該操作は、ボタン押下、特定ダイヤル番号入力、位置情報送信用ＩＣカード等の挿入による指定等がある。
【００６７】
次に、着信者の電話番号をダイヤルし、暗号化部１２０においてマスタ鍵を用いて位置情報を暗号化し、発呼する（位置情報送信モード選択と併せて、ＩＣカード等による自動ダイヤルでもよい）（ステップ５０２）。これにより、交換機Ａ２１０に、着信番号、暗号化位置情報、ファシリティ情報要素等（ＩＳＤＮであればファシリティ情報要素などを使用、ＩＳＤＮ以外であればモデム信号、ＤＴＭＦ信号、アウトチャンネル（音声帯域該）通信などを使用）を用いて発呼する（ステップ５０３）。
【００６８】
交換機Ａ２１０では、発信端末１００から上記の暗号化位置情報を復号化要求として、共通線信号網を介して復号化センタ２２０に送信する（ステップ５０４）。
【００６９】
復号化センタ２２０では、暗号化部２２１でマスタ鍵を用いて暗号化位置情報を復号化し（ステップ５０５）、復号化された位置情報を交換機Ａ２１０に送信する（ステップ５０６）。
【００７０】
交換機Ｂ２３０は、着信端末３００に対して呼接続し（ステップ５０７）、着信端末３００では、着信に対してオフフック（応答）し（ステップ５０８）、応答信号を返す（ステップ５０９）。
【００７１】
交換機Ａ２１０では、着信端末３００からの応答があると、通信用と位置情報提供に対する情報料を加算し、課金度数を算出し（ステップ５１０）、発信端末３００に対して課金を行う（ステップ５１１）。このとき、発信端末１００が公衆電話機であれば、当該発信端末１００に対して課金信号で課金度数を送出する。
【００７２】
発信端末１００は、交換機２１０Ａからの課金信号に対し、硬貨収納やテレホンカードの減算などの課金処理を行い（ステップ５１２）、「課金完了」を交換機Ａ２１０に返す（ステップ５１３）。これは、通常の公衆電話機の動作である。
【００７３】
交換機Ａ２１０は、課金が完了すると、発信端末１００と着信端末３００の呼接続を行うと共に、交換機Ａ２１０の位置情報提供部２１２から交換機Ｂ２３０を介して、着信端末３００に対して位置情報の提供を行う（（ＩＳＤＮであればファシリティ情報要素などを使用、ＩＳＤＮ以外であればモデム信号、ＤＴＭＦ信号、アウトチャンネル（音声帯域該）通信などを使用）（ステップ５１５）。着信端末３００の通信部３１０で交換機Ｂ２３０から送られた位置情報を受信し、位置情報受信部３２０に受け渡すことで、着信端末３００に具備されているディスプレイ等からなる表示部３３０に位置情報の表示を行う（ステップ５１６）。
【００７４】
次に、各装置の動作を説明する。なお、以下に示すフローチャートをプログラムとして構築し、各装置のメモリや、当該装置に接続されるディスク装置、フロッピーディスクやＣＤ−ＲＯＭ等の可搬記憶媒体に格納しておき、本発明を実施する際にインストールすることにより容易に本発明を実現できる。
【００７５】
図４は、本発明の第１の実施例の発信端末のフローチャートである。
【００７６】
ステップ６０１）  発信者からオフフックされた場合にはステップ６０２に移行し、そうでない場合には待機する。
【００７７】
ステップ６０２）  位置情報の送信指定が発信者からあった場合にはステップ６０４に移行し、そうでない場合にはステップ６０３に移行する。
【００７８】
ステップ６０３）  通常の電話機の接続処理を行う。
【００７９】
ステップ６０４）  着信者の電話番号がダイヤル入力される。
【００８０】
ステップ６０５）  位置情報をマスタ鍵を使用して暗号化し、暗号化位置情報を生成する。
【００８１】
ステップ６０６）  位置情報送信モード選択と併せて、暗号化位置情報を送信する（発呼する）。
【００８２】
ステップ６０７）  交換機から課金信号を受信し、課金が成功した場合にはステップ６０８に移行し、失敗した場合にはステップ６１１に移行する。
【００８３】
ステップ６０８）  着信端末との通話を開始する。
【００８４】
ステップ６０９）  着信端末から切断要求を取得した場合、または、発信者によるオンフックの場合にはステップ６１０に移行し、そうでない場合には待機する。
【００８５】
ステップ６１０）  呼の切断処理を行う。
【００８６】
ステップ６１１）  課金エラーに対する所定のエラー処理を行う。
【００８７】
図５は、本発明の第１の実施例の交換機のフローチャートである。
【００８８】
ステップ７０１）  発信端末からの発呼があった場合には、ステップ７０２に移行し、そうでない場合には待機する。
【００８９】
ステップ７０２）  発信端末から暗号化位置情報を受信した場合にはステップ７０４に移行し、そうでない場合にはステップ７０３に移行する。
【００９０】
ステップ７０３）  通常の接続処理を行う。
【００９１】
ステップ７０４）  暗号化位置情報を復号化センタに復号化要求として送信し、暗号化された位置情報を取得する。
【００９２】
ステップ７０５）  着信端末との接続が成功した場合には、ステップ７０７に移行し、そうでない場合にはステップ７０６に移行する。
【００９３】
ステップ７０６）  接続エラーの処理を行う。
【００９４】
ステップ７０７）  通信料と位置情報に対する情報料を加算し、課金度数を算出し、課金データを生成する。
【００９５】
ステップ７０８）  発信端末に対して課金信号を送信する。
【００９６】
ステップ７０９）  発信端末と着信端末との呼接続処理を行う。
【００９７】
ステップ７１０）  位置情報を着信端末に送信する。
【００９８】
ステップ７１１）  発信端末または、着信端末から切断要求を受信した場合はステップ７１２に移行し、そうでない場合には待機する。
【００９９】
ステップ７１２）  呼の切断を行う。
【０１００】
図６は、本発明の第１の実施例の着信端末のフローチャートである。
【０１０１】
ステップ８０１）  交換機を介して着信があった場合にはステップ８０２に移行し、そうでない場合には待機する。
【０１０２】
ステップ８０２）  端末において着信の鳴動がある。
【０１０３】
ステップ８０３）  発信端末との接続が成功した場合にはステップ８０５に移行し、そうでない場合にはステップ８０４に移行する。
【０１０４】
ステップ８０４）  呼接続のエラー処理を行う。
【０１０５】
ステップ８０５）  発信端末との通話を開始する。
【０１０６】
ステップ８０６）  交換機から位置情報を受信した場合にはステップ８０７に移行し、そうでない場合にはステップ８０８に移行する。
【０１０７】
ステップ８０７）  受信した位置情報を表示する。
【０１０８】
ステップ８０８）  発信端末からの切断要求または、自端末においてオンフックされた場合にはステップ８０９に移行し、そうでない場合には待機する。
【０１０９】
ステップ８０９）  呼切断処理を行う。
【０１１０】
［第２の実施例］
本実施例では、位置情報をカスタマイズすることが可能な位置情報設定端末を、前述の第１の実施例に加えた例について説明する。
【０１１１】
図７は、本発明の第２の実施例のシステム構成を示す。
【０１１２】
同図において、図２と同一構成部分には同一符号を付し、その説明を省略する。
【０１１３】
同図に示すシステムは、図２のシステムに位置情報設定端末４００を設けている。位置情報設定端末４００は、当該端末設置時に発信端末１００と接続し、マスタ鍵を用いて入力された位置情報を暗号化して発信端末１００に渡すことで、発信端末１００に暗号化位置情報を設定する機能を有し、入力情報入力部４１０、暗号化部４２０、及び接続部４３０から構成される。
【０１１４】
入力情報入力部４１０は、手入力のためのキーボード・ディスプレイ・マウスや、ＧＰＳ、ロラン、ＰＨＳ等の位置情報取得装置等であれば何でもよい。
【０１１５】
暗号化部４２０は、マスタ鍵を用いて入力情報入力部４１０から入力された情報を暗号化する。
【０１１６】
接続部４３０は、当該位置情報設定端末設定時に発信端末１００と接続し、暗号化された暗号化位置情報を発信端末１００に渡す。
【０１１７】
発信端末１００は、図２の暗号化部１２０に替えて設定部１３０を設ける。当該設定部１３０は、位置情報設定端末４００から渡される暗号化位置情報を当該端末内に設定する。
【０１１８】
本実施例の動作は、位置情報設定端末４００を発信端末１００に接続し、暗号化位置情報を発信端末１００内に設定し、当該暗号化位置情報を交換機Ａ２１０に渡す動作以外は、前述の第１の実施例と同様であるので、以降の処理の説明は省略する。
【０１１９】
なお、前述の第１の実施例と同様に、発信端末１００、交換機２１０、着信端末３００の各動作をプログラムとして構築することが可能である。
【０１２０】
［第３の実施例］
前述の第１の実施例では、電話交換網２００内にＮＳＰを有する復号センタ２２０を設ける例を説明したが、本実施例では、暗号化位置情報の復号化を、発信端末を収容する交換機Ａ２１０で行う例を説明する。
【０１２１】
図８は、本発明の第３の実施例のシステム構成を示す。同図において、図２と同一構成部分には同一符号を付し、その説明を省略する。
【０１２２】
図８に示すシステムにおいて、電話交換網２００内における交換機Ａ２１０の構成において、暗号化位置情報を復号化する復号化部２１３を設け、発信端末１００から暗号化位置情報を取得すると、当該復号化部２１３で復号化し、着信端末３００に位置情報を送信する。
【０１２３】
他の動作は、前述の第１の実施例と同様であるので、その説明を省略する。
【０１２４】
なお、前述の第１の実施例と同様に、発信端末１００、交換機２１０及び着信端末３００の各動作をプログラムとして構築することが可能である。
【０１２５】
［第４の実施例］
本実施例では、発信端末に位置情報設定端末が接続され、電話交換網内に復号化センタ（ＮＳＰ）を有するシステムにおいて、発信端末が交換機から送信される位置情報を利用する例を説明する。つまり、第２の実施例では、位置情報を着信端末３００の送信する例であるが、本実施例は、位置情報を発信端末１００において利用するものである。
【０１２６】
図９は、本発明の第４の実施例のシステム構成を示す。同図において、図７と同一構成部分には同一符号を付し、その説明を省略する。図９に示す構成は、図７の発信端末１００に位置情報利用部１４０を付加したものである。
【０１２７】
図１０は、本発明の第４の実施例のシステムにおけるシーケンスチャートである。同図において、ステップ９０１〜９１３までの処理は、前述の第１の実施例と同様であるが、本実施例では、復号化センタ２２０において、復号化された位置情報を交換機Ａ２１０を介して発信端末１００の通信部１１０で受信し（ステップ９１４）、発信端末１００の位置情報利用部１４０で利用するものである。利用方法としては、当該位置情報を表示する等の処理がある。
【０１２８】
なお、前述の第１の実施例と同様に、発信端末１００、交換機２１０及び着信端末３００の各動作をプログラムとして構築することが可能である。
【０１２９】
［第５の実施例］
前述の第３の実施例では、交換機Ａ２１０で復号化された位置情報を交換機Ｂ２３０を介して着信端末３００に送信する例を示したが、本実施例では、交換機Ａ２１０で復号化された位置情報を発信端末１００で利用するものである。
【０１３０】
図１０は、本発明の第５の実施例のシステム構成を示す。同図において、図８と同一構成部分には同一符号を付し、その説明を省略する。
【０１３１】
図１０に示すシステムにおいて、発信端末１００は位置情報利用部１４０を更に有し、交換機Ａ２１０の復号化部２１３で復号された位置情報を、発信端末１００の通信部１１０を介して取得し、利用するものである。利用方法としては、当該位置情報を表示する等の処理がある。
【０１３２】
なお、前述の第１の実施例と同様に、発信端末１００、交換機２１０の各動作をプログラムとして構築することが可能である。
【０１３３】
なお、本発明は、上記の実施例に限定されることなく、特許請求の範囲内において、種々変更・応用が可能である。
【０１３４】
【発明の効果】
上述のように、本発明によれば、公衆電話機内に位置情報に関連付けられるデータを蓄積しておき、発呼時に公衆電話機から着信端末であるサービス装置に直接位置情報に関連付けられるデータを送付することにより、電話番号が非公開・非通知の公衆電話機からの通話において位置情報の提供が可能となる。また、中継サーバを使用せずに位置情報を取得することにより一つの通話呼で位置情報を得ることができる。
【０１３５】
また、本発明は、位置情報を提供する復号化センタを交換網内に持ち、通信付加サービスとして提供することにより、網内の課金が可能となり、通話料と情報料の両方の課金を行うことができる。
【０１３６】
また、位置情報を発信端末のみで持ち、暗号化された位置情報を復号化センタに送信することで、発信端末ローカルで位置情報の設定が可能となるため、臨時設置時などでの設定が容易になる。また、設置場所において利用者が容易にカスタマイズすることができる。
【０１３７】
【図面の簡単な説明】
【図１】本発明の原理構成図である。
【図２】本発明の第１の実施例のシステム構成図である。
【図３】本発明の第１の実施例のシステムにおけるシーケンスチャートである。
【図４】本発明の第１の実施例の発信端末のフローチャートである。
【図５】本発明の第１の実施例の交換機のフローチャートである。
【図６】本発明の第１の実施例の着信端末のフローチャートである。
【図７】本発明の第２の実施例のシステム構成図である。
【図８】本発明の第３の実施例のシステム構成図である。
【図９】本発明の第４の実施例のシステム構成図である。
【図１０】本発明の第４の実施例のシステムにおけるシーケンスチャートである。
【図１１】本発明の第５の実施例のシステム構成図である。
【符号の説明】
１００  発信端末
１１０  発信端末通信手段、通信部
１２０  暗号化手段、暗号化部
１３０  設定部
１４０  位置情報利用部
２００  電話交換網
２１０  交換機、交換機Ａ
２１１  交換部
２１２  位置情報提供手段、位置情報提供部
２１３  復号化部
２２０  復号化センタ（ＮＳＰ）
２２１  復号化手段、復号化部
２３０  交換機Ｂ
３００  着信端末
３１０  通信部
３２０  位置情報受信手段、位置情報受信部
３３０  表示手段、表示部
４００  位置情報設定端末
４１０  位置情報入力部
４２０  暗号化部
４３０  接続部
【図１】
0003671808.tif 000002
【図２】
0003671808.tif 000003
【図３】
0003671808.tif 000004
【図４】
0003671808.tif 000005
【図５】
0003671808.tif 000006
【図６】
0003671808.tif 000007
【図７】
0003671808.tif 000008
【図８】
0003671808.tif 000009
【図９】
0003671808.tif 000010
【図１０】
0003671808.tif 000011
【図１１】
0003671808.tif 000012